(57)【要約】【課題】乾燥を促進させるために外刃ホルダーを分離した場合でも、分離した外刃ホルダーと電気かみそりとを一括して保管しながら乾燥させて、外刃ホルダーが紛失するのを防止できる電気かみそりの保護キャップを提供する。【解決手段】かみそりヘッド２に着脱可能に装着される外刃ホルダー１３を備えている電気かみそりの保護キャップを対象とする。保護キャップは、外刃ホルダー１３が装着された状態、および外刃ホルダー１３が分離された状態の電気かみそりを倒立姿勢で支持して、かみそりヘッド２の外面を覆っている。保護キャップに、かみそりヘッド２から分離された外刃ホルダー１３を着脱可能に装着する装着構造４０を設ける。【選択図】図１
2018102554.tif 000002
【特許請求の範囲】
【請求項１】
かみそりヘッド（２）に着脱可能に装着される外刃ホルダー（１３）を備えている電気かみそりの保護キャップであって、
保護キャップは、外刃ホルダー（１３）が装着された状態、および外刃ホルダー（１３）が分離された状態の電気かみそりを倒立姿勢で支持して、かみそりヘッド（２）の外面を覆っており、
保護キャップに、かみそりヘッド（２）から分離した外刃ホルダー（１３）を着脱可能に装着する装着構造（４０）が設けられていることを特徴とする電気かみそりの保護キャップ。
【請求項２】
外刃ホルダー（１３）が、かみそりヘッド（２）のヘッド本体（１２）に装着されており、
保護キャップに、電気かみそりを倒立姿勢で支持するキャップ部（２１）が設けられて、その内面に受座（２６）が形成されており、
外刃ホルダー（１３）がヘッド本体（１２）に装着された状態において、外刃ホルダー（１３）で覆われていないヘッド本体（１２）の外面に、前記受座（２６）で支持される装着部（１７）が形成されており、
外刃ホルダー（１３）が、装着された状態の電気かみそりと、外刃ホルダー（１３）が分離された状態の電気かみそりを、同じ高さ位置において倒立姿勢で支持するように構成されている請求項１に記載の電気かみそりの保護キャップ。
【請求項３】
装着構造（４０）が、保護キャップに装着された電気かみそりの全高寸法の半分以下の高さに設けられて、装着構造（４０）に装着された外刃ホルダー（１３）が、その下面が保護キャップの載置面から浮き離れる状態で支持されている請求項１または２に記載の電気かみそりの保護キャップ。
【請求項４】
装着構造（４０）は、外刃ホルダー（１３）の周囲壁（１４）が下向きに差込まれる掛止スリット（４１）からなり、
掛止スリット（４１）の対向面（４２・４２）の少なくともいずれか一方がキャップ部（２１）から離れる向きに上り傾斜する傾斜面で構成されている請求項１から３のいずれかひとつに記載の電気かみそりの保護キャップ。
【請求項５】
キャップ部（２１）の外面に複数の支持脚（２７）が連出されており、
支持脚（２７）に装着構造（４０）が形成されている請求項３、または４に記載の電気かみそりの保護キャップ。
【請求項６】
掛止スリット（４１）は、キャップ部（２１）側に偏寄した支持脚（２７）の上端縁に設けられている請求項５に記載の電気かみそりの保護キャップ。
【請求項７】
装着構造（４０）に臨むキャップ部（２１）の正面側に、正立姿勢で載置された電気かみそりを保持する正立姿勢保持部（４４）が設けられている請求項２から６のいずれかひとつに記載の電気かみそりの保護キャップ。
【請求項８】
正立姿勢保持部（４４）に装着された電気かみそりが、後傾する正立姿勢で保持されている請求項７に記載の電気かみそりの保護キャップ。
【請求項９】
電気かみそりが正立姿勢保持部（４４）に装着された状態において、電気かみそりの下端がキャップ部（２１）の前側の装着構造（４０）に臨ませてある請求項７または８に記載の電気かみそりの保護キャップ。
【請求項１０】
正立姿勢保持部（４４）が、一対の支持脚（２７）と、支持脚（２７）の上縁を橋絡する橋絡壁（４５）と、キャップ部（２１）の前壁（２４）に形成した切欠き（４６）で構成されており、
電気かみそりが正立姿勢保持部（４４）に装着された状態において、電気かみそりの下端が一対の支持脚（２７）と橋絡壁（４５）で囲まれる空間内に保持されている請求項９に記載の電気かみそりの保護キャップ
【請求項１１】
保護キャップに電気かみそりの本体部（１）を支持する支持アーム（３６）が設けられており、
支持アーム（３６）が、キャップ部（２１）の周壁（２３）から上向きに延設されるアームベース（３７）と、アームベース（３７）の先端に設けられて、本体部（１）の左右側面を挟持する一対のサポート片（３８）とで構成されている請求項２から１０のいずれかひとつに記載の電気かみそりの保護キャップ。
【請求項１２】
電気かみそりが保護キャップに正立姿勢で装着された状態と、電気かみそりが保護キャップに倒立姿勢で装着された状態のいずれの状態においても、本体部（１）の左右側面をサポート片（３８）で挟持できる請求項１１に記載の電気かみそりの保護キャップ。
【請求項１３】
本体部（１）の正面に電気かみそりを起動するためのスイッチ（８）が設けられ、背面にきわ剃りユニット（９）が設けられており、
本体部（１）の正面および背面に対応する周壁（２３）にそれぞれ一対の支持脚（２７）が設けられており、
電気かみそりが装着された保護キャップは、本体部（１）の正面が載置面と正対する横臥姿勢と、本体部（１）の背面が載置面と正対する横臥姿勢に載置可能であり、
前者の横臥姿勢においては、載置面側にある一対の支持脚（２７）とアームベース（３７）の一部が載置面と当接しており、
後者の横臥姿勢においては、載置面側にある一対の支持脚（２７）と本体部（１）の一部が載置面と当接しており、
各横臥姿勢におけるスイッチ（８）およびきわ剃りユニット（９）が、支持脚（２７）で保護キャップの載置面から浮き離れた状態で支持されている請求項５から１２のいずれかひとつに記載の電気かみそりの保護キャップ。
【請求項１４】
電気かみそりが保護キャップに装着された状態において、スイッチ（８）はアームベース（３７）で覆われており、
本体部（１）の正面が載置面と正対する横臥姿勢で電気かみそりが装着された保護キャップを載置したとき、載置面と当接する支持突起（４８）がアームベース（３７）の先端に設けられている請求項１３に記載の電気かみそりの保護キャップ。
【請求項１５】
キャップ部（２１）の底壁（２２）にキャップ部（２１）の内面で受け止めた水を排水する排水孔（３３）が設けられている請求項２から１４のいずれかひとつに記載の電気かみそりの保護キャップ。
【請求項１６】
キャップ部（２１）の底壁（２２）に周回壁（３１）で囲まれた凹部（３２）が形成されており、
周回壁（３１）がキャップ部（２１）の周壁（２３）に連続している請求項２から１５のいずれかひとつに記載の電気かみそりの保護キャップ。
【請求項１７】
凹部（３２）に鏡体（３４）が設けられている請求項１６に記載の電気かみそりの保護キャップ。
【発明の詳細な説明】
【技術分野】
【０００１】
本発明は、不使用時のかみそりヘッドを保護することができ、さらに保管時にスタンドとして利用できる電気かみそりの保護キャップに関する。
【背景技術】
【０００２】
この種の電気かみそりの保護キャップは、例えば特許文献１に開示されている。特許文献１の保護キャップ（スタンド）では、水平台と、水平台の上面に設けられた筒体とで構成されている。筒体は、内壁に段部が形成されており、周壁の一部にスリットが形成されている。スイッチがスリットに臨む状態で、外刃を下向きにした姿勢の電気かみそりを筒体に差し込むことにより外刃枠が前記段部で受け止められ、電気かみそりはスタンドで保持される。この状態では外刃枠が筒体で保護されている。水洗い後の電気かみそりをスタンドで保持することにより、素早く水を切って電気かみそりの乾燥を促進させることができる。筒体の底部に位置する水平台部分には、電気かみそりから滴下した水を排出する透孔が設けられている。
【先行技術文献】
【特許文献】
【０００３】
【特許文献１】実開昭５９−６１７７７号公報
【発明の概要】
【発明が解決しようとする課題】
【０００４】
水洗い後の電気かみそりを乾燥させる際には、電気かみそりを倒立姿勢にし、さらに外刃を保持する外刃枠（外刃ホルダー）を分離した状態で保管することで乾燥が促進される。しかし、特許文献１のスタンドでは、分離した外刃枠は電気かみそりの本体と別に保管する必要があり、外刃枠を紛失するおそれがある。また、電気かみそりは、外刃枠が受け止められてスタンドで保持されるので、外刃枠を分離した状態では適正に電気かみそりの本体が保持されず、安定した状態で保管することができない。さらに、適正な位置よりさらに下方に電気かみそりの本体が差し込まれるので、内刃が水平台に接触して破損するおそれがある。なお、特許文献１のスタンドは、水平台自体が大きく嵩張るので、鞄等に収容して持ち運ぶ際の保護キャップとしての利用は想定されていない。
【０００５】
本発明の目的は、乾燥を促進させるために外刃ホルダーを分離した場合でも、分離した外刃ホルダーと電気かみそりとを一括して保管しながら乾燥させて、外刃ホルダーが紛失するのを防止できる電気かみそりの保護キャップを提供することにある。
本発明の目的は、外刃ホルダーの着脱にかかわらず、保護キャップへの電気かみそりの装着形態を同じにして、外刃ホルダーを取り外した状態でも、電気かみそりを安定した状態で支持できる電気かみそりの保護キャップを提供することにある。
【課題を解決するための手段】
【０００６】
本発明は、かみそりヘッド２に着脱可能に装着される外刃ホルダー１３を備えている電気かみそりの保護キャップを対象とする。保護キャップは、外刃ホルダー１３が装着された状態、および外刃ホルダー１３が分離された状態の電気かみそりを倒立姿勢で支持して、かみそりヘッド２の外面を覆っている。保護キャップに、かみそりヘッド２から分離した外刃ホルダー１３を着脱可能に装着する装着構造４０が設けられていることを特徴とする。
【０００７】
外刃ホルダー１３はかみそりヘッド２のヘッド本体１２に装着される。保護キャップに、電気かみそりを倒立姿勢で支持するキャップ部２１を設けて、その内面に受座２６を形成する。外刃ホルダー１３がヘッド本体１２に装着された状態において、外刃ホルダー１３で覆われていないヘッド本体１２の外面に、前記受座２６で支持される装着部１７を形成する。外刃ホルダー１３は装着された状態の電気かみそりと、外刃ホルダー１３が分離された状態の電気かみそりを、同じ高さ位置において倒立姿勢で支持する。
【０００８】
装着構造４０を、保護キャップに装着された電気かみそりの全高寸法の半分以下の高さに設けて、装着構造４０に装着された外刃ホルダー１３を、その下面が保護キャップの載置面から浮き離れる状態で支持する。
【０００９】
装着構造４０は、外刃ホルダー１３の周囲壁１４が下向きに差込まれる掛止スリット４１からなる。掛止スリット４１の対向面４２・４２の少なくともいずれか一方をキャップ部２１から離れる向きに上り傾斜する傾斜面で構成する。
【００１０】
キャップ部２１の外面に複数の支持脚２７を連出し、支持脚２７に装着構造４０を形成する。
【００１１】
掛止スリット４１は、キャップ部２１側に偏寄した支持脚２７の上端縁に設ける。
【００１２】
装着構造４０に臨むキャップ部２１の正面側に、正立姿勢で載置された電気かみそりを保持する正立姿勢保持部４４を設ける。
【００１３】
正立姿勢保持部４４に装着された電気かみそりは、後傾する正立姿勢で保持する。
【００１４】
電気かみそりが正立姿勢保持部４４に装着された状態において、電気かみそりの下端をキャップ部２１の前側の装着構造４０に臨ませる。
【００１５】
正立姿勢保持部４４を、一対の支持脚２７と、支持脚２７の上縁を橋絡する橋絡壁４５と、キャップ部２１の前壁２４に形成した切欠き４６で構成する。電気かみそりが正立姿勢保持部４４に装着された状態において、電気かみそりの下端を一対の支持脚２７と橋絡壁４５で囲まれる空間内に保持する。
【００１６】
保護キャップに電気かみそりの本体部１を支持する支持アーム３６を設ける。支持アーム３６を、キャップ部２１の周壁２３から上向きに延設されるアームベース３７と、アームベース３７の先端に設けられて、本体部１の左右側面を挟持する一対のサポート片３８とで構成する。
【００１７】
電気かみそりが保護キャップに正立姿勢で装着された状態と、電気かみそりが保護キャップに倒立姿勢で装着された状態のいずれの状態においても、本体部１の左右側面をサポート片３８で挟持できるようにする。
【００１８】
本体部１の正面に電気かみそりを起動するためのスイッチ８を設け、背面にきわ剃りユニット９を設ける。本体部１の正面および背面に対応する周壁２３にそれぞれ一対の支持脚２７を設ける。電気かみそりが装着された保護キャップは、本体部１の正面が載置面と正対する横臥姿勢と、本体部１の背面が載置面と正対する横臥姿勢に載置可能に構成する。前者の横臥姿勢においては、載置面側にある一対の支持脚２７とアームベース３７の一部が載置面と当接し、後者の横臥姿勢においては、載置面側にある一対の支持脚２７と本体部１の一部が載置面と当接する。各横臥姿勢におけるスイッチ８およびきわ剃りユニット９を、支持脚２７で保護キャップの載置面から浮き離れた状態で支持する。
【００１９】
電気かみそりが保護キャップに装着された状態において、スイッチ８はアームベース３７で覆われている。本体部１の正面が載置面と正対する横臥姿勢で電気かみそりが装着された保護キャップを載置したとき、載置面と当接する支持突起４８をアームベース３７の先端に設ける。
【００２０】
キャップ部２１の底壁２２にキャップ部２１の内面で受け止めた水を排水する排水孔３３を設ける。
【００２１】
キャップ部２１の底壁２２に周回壁３１で囲まれた凹部３２を形成し、周回壁３１を
キャップ部２１の周壁２３に連続させる。
【００２２】
凹部３２に鏡体３４を設ける。
【発明の効果】
【００２３】
本発明に係る電気かみそりの保護キャップは、外刃ホルダー１３がヘッド本体１２に装着された場合と、外刃ホルダー１３がヘッド本体１２から分離された場合のいずれの場合でも、電気かみそりを倒立姿勢で支持して、かみそりヘッド２の外面を覆うようにした。そして、保護キャップに、かみそりヘッド２から分離した外刃ホルダー１３を着脱可能に装着する装着構造４０を設けた。こうした電気かみそりの保護キャップによれば、電気かみそりを水洗いしたのち、保護キャップに外刃ホルダー１３が装着された状態の電気かみそりを装着して、倒立姿勢で保管し乾燥させることができる。また、保護キャップに外刃ホルダー１３が分離された状態の電気かみそりを装着し、分離した外刃ホルダー１３を装着構造４０に装着して、倒立姿勢で保管し乾燥させることができる。以上のように、本発明によれば、乾燥を促進させるために外刃ホルダー１３を分離した場合でも、分離した外刃ホルダー１３と電気かみそりとを一括して保管しながら乾燥させて、外刃ホルダー１３が紛失するのを防止できる。
【００２４】
キャップ部２１に設けた受座２６と、外刃ホルダー１３で覆われていないヘッド本体１２の外面に形成した装着部１７とで、保護キャップと電気かみそりの装着構造を構成して、外刃ホルダー１３の有無に関係なく、電気かみそりを同じ高さ位置において倒立姿勢で支持するようにした。このような装着構造によれば、電気かみそりを同一姿勢で載置できるので、外刃ホルダー１３の有無によって保管姿勢が不安定になることを防止でき、従って、外刃ホルダーを分離した状態でも、電気かみそりを安定した状態で支持できる。また、外刃ホルダー１３を分離したときに露出する内刃６が保護キャップに接触して破損することもない。
【００２５】
保護キャップに装着された電気かみそりの全高寸法の半分以下の高さに装着構造４０を設け、装着構造４０に装着された外刃ホルダー１３を、その下面が保護キャップの載置面から浮き離れる状態で支持した。これによれば、装着構造４０に外刃ホルダー１３を装着したとき、保護キャップに装着された電気かみそりの重心位置が上側に移動するのを抑えることができる。従って、電気かみそりのバランスが不安定になるのを抑制して転倒するのを回避できる。また、装着構造４０から外刃ホルダー１３が落下したとき、落下距離が小さい分、外刃ホルダー１３が破損するのを回避できる。
【００２６】
装着構造４０を構成する掛止スリット４１の対向面４２・４２の少なくともいずれか一方をキャップ部２１から離れる向きに上り傾斜する傾斜面で構成した。こうした装着構造４０によれば、掛止スリット４１に差し込まれた周囲壁１４の上側が電気かみそりから離れる様に外刃ホルダー１３を装着できるので、装着構造４０に外刃ホルダー１３を装着した保護キャップに対して電気かみそりを着脱する際に、外刃ホルダー１３と電気かみそりが干渉するのを可及的に回避できる。また、電気かみそりを装着した保護キャップを倒立姿勢で載置し、掛止スリット４１に外刃ホルダー１３を着脱するとき、装着の際にはキャップ部２１側へ近づきながら装着でき、分離の際にはキャップ部２１から離れながら分離できる。この点でも、外刃ホルダー１３と電気かみそりが干渉するのを回避できる。
【００２７】
キャップ部２１の外面に複数の支持脚２７を連出し、支持脚２７に装着構造４０を形成すると、キャップ部２１の外面に別途装着構造４０を設ける場合に比べて、保護キャップの外観をすっきりとしたものにしてデザイン性を向上できる。また、別途装着構造４０を形成することによる保護キャップの形成材料の増加を抑制して製造コストを削減し、さらに軽量化による携帯性の向上を図ることができる。
【００２８】
キャップ部２１側に偏寄した支持脚２７の上端縁に掛止スリット４１を設けると、装着構造４０に外刃ホルダー１３を装着した際に、重心位置がキャップ部２１の中央から遠ざかる方向に移動するのを防止して、電気かみそりを安定した状態で載置できる。また、装着構造４０に外刃ホルダー１３を装着したとき、平面視における外刃ホルダー１３を含む保護キャップの外郭形状を小さくできるので、保管時の占有スペースを小さくして、コンパクトに保管することができる。
【００２９】
正立姿勢で載置された電気かみそりを保持する正立姿勢保持部４４を、装着構造４０に臨むキャップ部２１の正面側に設けると、ひげ剃りの途中で保護キャップに電気かみそりを仮置きできる。これにより、電気かみそりの握り方を変えたい場合に、一旦正立姿勢保持部４４に電気かみそりを正立姿勢で仮置きし、所望の握り方で再度握り直すことができるので、電気かみそりの使い勝手を向上できる。
【００３０】
正立姿勢保持部４４に装着された電気かみそりを、後傾する正立姿勢で保持すると、直立する正立姿勢で保持する場合に比べて、電気かみそりの上下中央付近にある重心位置を載置面に近づけることができるので、仮置きした電気かみそりのバランスが不安定になるのを抑制して転倒するのを回避できる。
【００３１】
電気かみそりが正立姿勢保持部４４に装着された状態において、電気かみそりの下端をキャップ部２１の前側の装着構造４０に臨ませるようにした。これによれば、電気かみそりの重心位置を、キャップ部２１の上方に位置させたとき、電気かみそりの下端がキャップ部２１の中心から前側に位置する分、電気かみそりの後傾角度を大きくできる。従って、電気かみそりのバランスが不安定になるのをさらに抑制できる。また、キャップ部２１の内面に正立姿勢保持部４４を形成する場合に比べて、キャップ部２１の内面の構造を簡素化して、保護キャップが大型化するのをより防止できる。
【００３２】
一対の支持脚２７と、橋絡壁４５と、切欠き４６で正立姿勢保持部４４を構成し、電気かみそりが正立姿勢保持部４４に装着された状態において、電気かみそりの下端を一対の支持脚２７と橋絡壁４５で囲まれる空間内に保持するようにした。こうした正立姿勢保持部４４によれば、電気かみそりの下端を一対の支持脚２７と橋絡壁４５で囲んでがたつくのを阻止し、電気かみそりをより安定した状態で正立姿勢保持部４４に仮置きできる。
【００３３】
保護キャップに電気かみそりの本体部１を支持する支持アーム３６を設け、支持アーム３６を、キャップ部２１の周壁２３から上向きに延設されるアームベース３７と、アームベース３７の先端に設けられて、本体部１の左右側面を挟持する一対のサポート片３８とで構成した。このような支持アーム３６を設けた電気かみそりの保護キャップによれば、本体部１の左右側面を一対のサポート片３８で挟持して、保護キャップに対する電気かみそりの装着状態を強固なものにすることができ、載置された電気かみそりの安定性を向上できる。
【００３４】
電気かみそりが保護キャップに正立姿勢で装着された状態と、電気かみそりが保護キャップに倒立姿勢で装着された状態のいずれの状態においても、本体部１の左右側面をサポート片３８で挟持できるようにした。これによれば、両姿勢において保護キャップに対する電気かみそりの装着状態を強固なものにすることができ、載置された電気かみそりの安定性を向上できる。
【００３５】
電気かみそりが装着された保護キャップは、本体部１の正面が載置面と正対する横臥姿勢と、本体部１の背面が載置面と正対する横臥姿勢に載置可能であり、各横臥姿勢におけるスイッチ８およびきわ剃りユニット９を、支持脚２７で保護キャップの載置面から浮き離れた状態で支持するようにした。こうした電気かみそりの保護キャップによれば、横臥姿勢で電気かみそりを載置面に載置した場合に、スイッチ８、あるいはきわ剃りユニット９が載置面と接触して破損するのを防止できる。また、各横臥姿勢において、一対の支持脚２７とアームベース３７の一部、あるいは一対の支持脚２７と本体部１の一部の３点が載置面と当接するようにしたので、がたつくことなく安定した状態で横臥姿勢に載置できる。
【００３６】
電気かみそりが保護キャップに装着された状態において、アームベース３７でスイッチ８が覆われていると、アームベース３７でスイッチ８を保護できるので、電気かみそりを鞄等に収容して持ち運ぶ際に、スイッチ８が誤ってオン状態に切換ることがない。加えて、本体部１の正面が載置面と正対する横臥姿勢で電気かみそりが装着された保護キャップを載置したとき、載置面と当接する支持突起４８をアームベース３７の先端に設けると、アームベース３７の摩耗を防止でき、またアームベース３７が載置面に当接するのを回避して保護キャップの耐久性を向上できる。
【００３７】
キャップ部２１の底壁２２にキャップ部２１の内面で受け止めた水を排水する排水孔３３を設けると、水洗い後の電気かみそりから滴下した水を排水孔３３から排水して、キャップ部２１の内底に溜まるのを防止でき、電気かみそりの乾燥を促進させることができる。
【００３８】
キャップ部２１の底壁２２に周回壁３１で囲まれた凹部３２を形成すると、排水孔３３から排水した水を凹部３２と載置面で区画される空間に排水孔３３から排水された水を保持して、水が載置面上で広がるのを阻止できるので、隣接する他物が水濡れするのを防止できる。加えて、周回壁３１がキャップ部２１の周壁２３に連続していると、キャップ部２１の外面を伝い流れた水は、キャップ部２１の中途部で溜まることなくスムーズに載置面へと流下させることができる。また、張り出し部分がない分、保護キャップをコンパクトにすることができ、電気かみそりの携帯性を向上できる。
【００３９】
キャップ部２１の凹部３２の底面に鏡体３４を設けると、外出先等で鏡がない場所でも、鏡体３４に映しながらひげ剃りを行うことができる。また、別途鏡を持ち運ぶ必要がない分、電気かみそりの携帯性をより向上できる。凹部３２に設けられた鏡体３４によれば、載置面との接触を可及的に回避することができ、鏡体３４の傷つきを抑制できる。
【図面の簡単な説明】
【００４０】
【図１】本発明の実施例１に係る保護キャップを電気かみそりに装着した状態を示す縦断側面図である。
【図２】保護キャップと電気かみそりの側面図である。
【図３】保護キャップの斜視図である。
【図４】電気かみそりを倒立姿勢で載置した状態を示す正面図である。
【図５】電気かみそりを倒立姿勢で載置した状態を示す縦断側面図である。
【図６】図４におけるＡ−Ａ線断面図である。
【図７】図６におけるＢ−Ｂ線端面図である。
【図８】電気かみそりを正立姿勢で仮置きした状態を示す正面図である。
【図９】電気かみそりを正立姿勢で仮置きした状態を示す縦断側面図である。
【図１０】電気かみそりを横臥姿勢で載置した状態を示す側面図である。
【図１１】本発明の実施例２に係る保護キャップの斜視図である。
【図１２】実施例２に係る保護キャップの正面図、背面図、平面図、底面図、右側面図、中央縦断側面図である。
【図１３】実施例２に係る保護キャップの使用状態を示す側面図であり、（ａ）は外刃ホルダーを装着した状態の電気かみそりを保護キャップに載置した状態を示し、（ｂ）は外刃ホルダーを分離した状態の電気かみそりを保護キャップＣに載置した状態を示している。
【図１４】電気かみそりを実施例２に係る保護キャップに装着した状態を示す縦断側面図である。
【図１５】本発明の実施例３に係る保護キャップの斜視図である。
【図１６】実施例３に係る保護キャップの使用状態を示す正面図である。
【図１７】実施例３に係る保護キャップの使用状態を示す縦断側面図である。
【図１８】本発明の実施例４に係る保護キャップを電気かみそりに装着した状態を示す縦断側面図であり、（ａ）は電気かみそりを倒立姿勢で載置した状態を示し、（ｂ）は電気かみそりを正立姿勢で仮置きした状態を示す。
【図１９】電気かみそりを実施例５に係る保護キャップに装着した状態を示す概略縦断側面図である。
【図２０】電気かみそりを実施例６に係る保護キャップに装着した状態を示す概略縦断側面図である。
【図２１】電気かみそりを実施例７に係る保護キャップに装着した状態を示す概略縦断側面図である。
【図２２】電気かみそりを実施例８に係る保護キャップに装着した状態を示す概略縦断側面図である。
【図２３】電気かみそりを実施例９に係る保護キャップに装着した状態を示す概略縦断側面図である。
【発明を実施するための形態】
【００４１】
（実施例１）  図１から図１０に、本発明における電気かみそりの保護キャップの実施例１を示す。なお、本実施例における前後、左右、上下とは、図３および図４に示す交差矢印と、各矢印の近傍に表記した前後、左右、上下の表示に従う。図２に示すように電気かみそりは、グリップを兼ねる本体部１と、本体部１の上部に設けられるかみそりヘッド２とを備えている。
【００４２】
かみそりヘッド２には、前後一対の短毛切断刃３・３と、固定刃と可動刃がユニット化された前後一対の長毛切断刃４・４とが設けられており、短毛切断刃３と長毛切断刃４は交互に配置されている。短毛切断刃３は網刃からなる断面アーチ形の外刃５と、外刃５の内面に摺接するレシプロ式の往復刃からなる内刃６とを備えている。内刃６および長毛切断刃４の可動刃は、本体部１の内部に設けられたモーター７の回転動力を変換して得られる往復動力で往復駆動される。本体部１の正面（前面）中央には、モーター７への給電状態をオンオフする上下スライド式のスイッチ８が設けられている。本体部１の背面（後面）上部には、きわ剃りユニット９が設けられており、モーター７の回転動力を変換して得られる往復動力で往復駆動される。きわ剃りユニット９は、スライド式の操作部と回転突出式のトリマー刃部からなる。図示していないが本体部１の内部にはモーター７のほか、電池、制御基板などが設けられている。なお、内刃６はレシプロ式の往復刃に替えて、モーター７の回転動力で回転駆動されるロータリー式の回転刃であってもよい。また、きわ剃りユニット９は、スライド式操作部の上端に一体で設けられるトリマー刃部で構成してもよい。
【００４３】
かみそりヘッド２は、ヘッド本体１２と外刃ホルダー１３とを備えており、外刃ホルダー１３はヘッド本体１２に着脱可能に装着されている。外刃５および長毛切断刃４は外刃ホルダー１３に保持されており、内刃６はヘッド本体１２に設けられている。かみそりヘッド２は水洗い洗浄することができ、外刃ホルダー１３の周囲壁１４の前壁には、洗浄時にヘッド本体１２と外刃ホルダー１３とで区画される毛屑室Ｒ内へ洗浄水を供給するための洗浄窓１５が設けられている。洗浄窓１５は上下にスライド操作されるシャッター１６で開閉できる。図５および図７に示すように、外刃ホルダー１３がヘッド本体１２に装着された状態において、外刃ホルダー１３で覆われていないヘッド本体１２の前後の外面には、後述する保護キャップＣの装着構造を構成する左右一対の突起からなる装着部１７がそれぞれ設けられている。符号１８は外刃ホルダー１３をヘッド本体１２に固定するロック構造（図示していない）を解除するロック解除ボタンであり、ロック解除ボタン１８を押し込み操作することでロック構造が解除され、外刃ホルダー１３は分離することができる。
【００４４】
図３および図６に示すように保護キャップＣは、左右に長いバスタブ状のキャップ部２１を備えており、キャップ部２１は底壁２２と、底壁２２の周囲縁から上広がり状に延設される周壁２３とで構成されている。周壁２３の前後の壁２４・２５の内面上端には、先の装着部１７とともに保護キャップＣの装着構造を構成する左右一対の凹部からなる受座２６がそれぞれ設けられている。電気かみそりの背面を前向きにした状態で倒立させ、上方からかみそりヘッド２をキャップ部２１に嵌め込んで、受座２６に装着部１７を係合させることにより、キャップ部２１がかみそりヘッド２の外面を覆う状態で、保護キャップＣに電気かみそりが装着される。
【００４５】
電気かみそりが装着された保護キャップＣは、載置面に電気かみそりを倒立姿勢で支持でき、保護キャップＣを保管時のスタンドとして利用できる（図４参照）。図１および図５に示すように保護キャップＣは、上記の装着構造により、外刃ホルダー１３が装着された状態の電気かみそりと、外刃ホルダー１３が分離された状態の電気かみそりを、同じ高さ位置において倒立姿勢で支持している。また、鞄等に収納して持ち運ぶ際には、不使用時のかみそりヘッド２を保護キャップＣで保護できるので、外刃５や長毛切断刃４が他物と接触して破損するのを防止できる。
【００４６】
上記のような装着構造によれば、電気かみそりを同一姿勢で載置できるので、外刃ホルダー１３の有無によって保管姿勢が不安定になることを防止でき、従って、外刃ホルダー１３を取り外した状態でも、電気かみそりを安定した状態で支持できる。また、外刃ホルダー１３を分離したときに露出する内刃６が保護キャップＣに接触して破損することもない（図１参照）。
【００４７】
図５および図６に示すように、周壁２３の前壁２４および後壁２５には、保護キャップＣを安定した状態で載置できるようにするために、左右一対の支持脚２７がそれぞれ設けられている。前壁２４側に設けられた支持脚２７は側面視で台形状に形成され、後壁２５側に設けられた支持脚２７は側面視で三角形状に形成されて、それぞれ前後方向に沿って外向きに連出されている。前壁２４側の支持脚２７は正面視でハ字状に設けられ、その上端縁は底壁２２と平行に形成されている。保護キャップＣの装着時において、キャップ部２１と本体部１、およびキャップ部２１とロック解除ボタン１８が干渉するのを防ぐために、周壁２３の前壁２４および左右壁にそれぞれ本体逃げ部２８とボタン逃げ部２９が切欠き形成されている。底壁２２の周縁部には、下方向に突出する周回壁３１が設けられており、底壁２２の底面に凹部３２が形成されている。周回壁３１はキャップ部２１の周壁２３に連続しており、周壁２３の外面と周回壁３１の外面とは面一状になるように形成されている。
【００４８】
上記のように、キャップ部２１の底壁２２に周回壁３１で囲まれた凹部３２を形成すると、後述する排水孔３３から排水した水を凹部３２と載置面で区画される空間に排水孔３３から排水された水を保持して、水が載置面上で広がるのを阻止できるので、隣接する他物が水濡れするのを防止できる。また、周回壁３１がキャップ部２１の周壁２３に連続していると、キャップ部２１の外面を伝い流れた水は、キャップ部２１の中途部で溜まることなくスムーズに載置面へと流下させることができる。また、張り出し部分がない分、保護キャップＣをコンパクトにすることができ、電気かみそりの携帯性を向上できる。
【００４９】
図３に示すように、周壁２３の後壁２５および左右壁の下半部には、通気開口３０がそれぞれ形成されている。また、周壁２３の後壁２５の上半部にも他よりも大型の通気開口３０Ａが形成されている。通気開口３０は、保護キャップＣに電気かみそりを装着した際に、キャップ部２１の内外で空気が通気できるようにして、水洗い後の電気かみそりの乾燥を促進する目的で設けている。なお、保護キャップＣに外刃ホルダー１３が装着されている電気かみそりを装着した状態において、洗浄窓１５は大型の通気開口３０Ａと正対している。これにより、シャッター１６を開放しておけば、毛屑室Ｒ内の乾燥を促進することができる。
【００５０】
底壁２２の四隅には、キャップ部２１で受け止めた水を排水する排水孔３３が設けられている。このように、底壁２２に排水孔３３を設けると、水洗い後の電気かみそりから滴下した水を排水孔３３から排水して、キャップ部２１の内底に溜まるのを防止でき、電気かみそりの乾燥を促進させることができる。なお、排水孔３３から排水された水は先に説明したように、凹部３２と載置面で区画される空間に保持される。
【００５１】
図５に示すように、キャップ部２１の凹部３２の底面には、鏡体３４が設けられている。本実施例では一方の面にアルミニウムを蒸着して鏡面化した樹脂シートで鏡体３４を構成しており、樹脂シートは鏡面化した面が外向きになるように接着固定されている。樹脂シートには先の排水孔３３に対応する位置に開口を設けて、排水が妨げられないようにしている。このように、キャップ部２１の凹部３２の底面に鏡体３４を設けると、外出先等で鏡がない場所でも、鏡体３４に映しながらひげ剃りを行うことができる。また、別途鏡を持ち運ぶ必要がない分、電気かみそりの携帯性を向上できる。凹部３２に設けられた鏡体３４によれば、載置面との接触を可及的に回避することができ、鏡体３４の傷つきを抑制できる。なお、鏡体３４は一方の面を鏡面化加工したステンレス板材で構成してもよく、凹部３２の底面に直接アルミニウムを蒸着して鏡面化してもよい。
【００５２】
図３および図５に示すように、保護キャップＣには、電気かみそりの本体部１を支持する支持アーム３６が設けられている。支持アーム３６は、キャップ部２１の後壁２５（周壁２３）から上向きに延設されるアームベース３７と、アームベース３７の先端に設けられて、本体部１の左右側面を挟持する一対のサポート片３８とで構成されている。保護キャップＣに電気かみそりを装着した状態において、スイッチ８はアームベース３７で覆われている。このような支持アーム３６を設けた保護キャップＣによれば、本体部１の左右側面を一対のサポート片３８で挟持して、保護キャップに対する電気かみそりの装着状態を強固なものにすることができ、載置された電気かみそりの安定性を向上できる。また、スイッチ８がアームベース３７で覆われていると、アームベース３７でスイッチ８を保護して、電気かみそりを鞄等に収容して持ち運ぶ際に、スイッチ８が誤ってオン状態に切換ることがない。
【００５３】
水洗い洗浄した電気かみそりの乾燥を促進させるためには、外刃ホルダー１３をヘッド本体１２から分離した状態で乾燥させることが好ましい。本実施例における保護キャップＣは、分離した外刃ホルダー１３を電気かみそりと一括して保管するために、図１に示すように、保護キャップＣに装着構造４０を設けて、分離した外刃ホルダー１３を装着構造４０に着脱可能に装着できるようにした。装着構造４０は、前側に形成された一対の支持脚２７の上端縁に設けられており、外刃ホルダー１３の周囲壁１４が下側に向かって差込まれる掛止スリット４１からなる。掛止スリット４１は、キャップ部２１側に偏寄した支持脚２７の上端縁に設けられている。
【００５４】
上記のように、一対の支持脚２７に装着構造４０を形成すると、キャップ部２１の外面に別途装着構造４０を設ける場合に比べて、保護キャップＣの外観をすっきりとしたものにしてデザイン性を向上できる。また、別途装着構造４０を形成することによる保護キャップＣの形成材料の増加を抑制して製造コストを削減し、さらに軽量化による携帯性の向上を図ることができる。
キャップ部２１側に偏寄した支持脚２７の上端縁に掛止スリット４１を設けると、装着構造４０に外刃ホルダー１３を装着した際に、重心位置がキャップ部２１の中央から遠ざかる方向に移動するのを防止して、電気かみそりを安定した状態で載置できる。また、装着構造４０に外刃ホルダー１３を装着したとき、平面視における外刃ホルダー１３を含む保護キャップの外郭形状を小さくできるので、保管時の占有スペースを小さくして、コンパクトに保管することができる。
【００５５】
掛止スリット４１の対向面４２・４２は、少なくともいずれか一方がキャップ部２１から離れる向きに上り傾斜する傾斜面で構成する。本実施例においては、前側の対向面４２がキャップ部２１から離れる向きに上り傾斜しており、後側の対向面４２がキャップ部２１に近づく向きに上り傾斜している。背面（後）側の周囲壁１４が掛止スリット４１に差し込まれた外刃ホルダー１３は、周囲壁１４の内外面が前後の対向面４２・４２で受け止められて、正面（前）側の周囲壁１４が載置面から浮き離れ、僅かに前傾する状態で装着される。
【００５６】
上記のように、装着構造４０を構成する掛止スリット４１の前側の対向面４２をキャップ部２１から離れる向きに上り傾斜する傾斜面で構成すると、掛止スリット４１に差し込まれた周囲壁１４の上側が電気かみそりから離れる様に外刃ホルダー１３を装着できる。従って、装着構造４０に外刃ホルダー１３を装着した保護キャップＣに対して電気かみそりを着脱する際に、外刃ホルダー１３と電気かみそりが干渉するのを可及的に回避できる。また、保護キャップＣに装着した電気かみそりを倒立姿勢で載置し、掛止スリット４１に外刃ホルダー１３を着脱するとき、装着の際にはキャップ部２１側へ近づきながら装着でき、分離の際にはキャップ部２１から離れながら分離できる。この点でも、外刃ホルダー１３と電気かみそりが干渉するのを回避できる。
【００５７】
装着構造４０は、保護キャップＣに装着された電気かみそりの全高寸法の半分以下の高さに設けることが好ましい。これは、装着構造４０に外刃ホルダー１３を装着したとき、保護キャップＣに装着した電気かみそりの重心位置が上側に移動するのを抑えることができる。従って、電気かみそりのバランスが不安定になるのを抑制して転倒するのを回避できる。また、装着構造４０から外刃ホルダー１３が落下したとき、落下距離が小さい分、外刃ホルダー１３が破損するのを回避できる。本実施例における装着構造４０は、載置面近傍の支持脚２７に設けたので、電気かみそりの全高寸法の半分よりも十分に下側に設けられており、重心位置が上側に移動するのを回避している。
【００５８】
保護キャップＣには、底壁２２が載置面と正対する状態で載置したとき、電気かみそりを正立姿勢で保持して載置するための正立姿勢保持部４４が設けられている。図８および図９に示すように正立姿勢保持部４４は、装着構造４０に臨むキャップ部２１の前（正面）側に設けられており、一対の支持脚２７と、支持脚２７の上縁を橋絡する橋絡壁４５と、前壁２４の本体逃げ部２８の下側に設けた同逃げ部２８よりも左右幅の狭い切欠き４６で構成されている。平面視において、一対の支持脚２７と橋絡壁４５との内面は、本体部１の下端の外郭形状に対応する半円弧形状に形成されている。電気かみそりが正立姿勢保持部４４に装着された状態において、電気かみそりの下端はキャップ部２１の前側の装着構造４０に臨ませてあり、一対の支持脚２７と橋絡壁４５で囲まれる空間内に保持されて、本体部１の下面が切欠き４６の底面で受け止められている。さらに、本体部１の中途部の左右側面が支持アーム３６の一対のサポート片３８で挟持されている。正立姿勢保持部４４に装着された電気かみそりは、後傾する正立姿勢で保持されている（図９参照）。
【００５９】
上記のように、正立姿勢保持部４４を保護キャップＣに設けると、ひげ剃りの途中で保護キャップＣに電気かみそりを仮置きできる。これにより、電気かみそりの握り方を変えたい場合に、一旦正立姿勢保持部４４に電気かみそりを正立姿勢で仮置きし、所望の握り方で再度握り直すことができるので、電気かみそりの使い勝手を向上できる。
正立姿勢保持部４４に装着された電気かみそりを、後傾する正立姿勢で保持すると、直立する正立姿勢で保持する場合に比べて、電気かみそりの上下中央付近にある重心位置を載置面に近づけることができるので、仮置きした電気かみそりのバランスが不安定になるのを抑制して転倒するのを回避できる。
電気かみそりの下端をキャップ部２１の前側の装着構造４０に臨ませてあると、電気かみそりの重心位置を、キャップ部２１の上方に位置させたとき、電気かみそりの下端がキャップ部２１の中心から前側に位置する分、電気かみそりの後傾角度を大きくできる。従って、電気かみそりのバランスが不安定になるのをさらに抑制できる。また、キャップ部２１の内面に正立姿勢保持部４４を形成する場合に比べて、キャップ部２１の内面の構造を簡素化して、保護キャップが大型化するのをより防止できる。
【００６０】
また、上記のような正立姿勢保持部４４によれば、電気かみそりの下端を一対の支持脚２７と橋絡壁４５で囲んでがたつくのを阻止し、電気かみそりをより安定した状態で正立姿勢保持部４４に仮置きできる。
正立姿勢保持部４４に装着された電気かみそりは、支持アーム３６のサポート片３８で本体部１の中途部の左右側面が挟持されているので、先の倒立姿勢を同様に、保護キャップＣに対する電気かみそりの装着状態を強固なものにすることができ、載置された電気かみそりの安定性を向上できる。
【００６１】
電気かみそりが装着された保護キャップＣは、本体部１の正面が載置面と正対する横臥姿勢と、本体部１の背面が載置面と正対する横臥姿勢に載置可能である。図１０（ａ）に示すように、前者の横臥姿勢においては、載置面（後面）側にある一対の支持脚２７とアームベース３７の先端背面に設けた支持突起４８（アームベース３７の一部）が載置面と当接しており、本体部１の正面に配置されたスイッチ８は載置面から離間している。また、図１０（ｂ）に示すように、後者の横臥姿勢においては、載置面（前面）側にある一対の支持脚２７と本体部１の一部が載置面と当接しており、本体部１の背面に配置されたきわ剃りユニット９は載置面から離間している。
【００６２】
上記のように、各横臥姿勢においてスイッチ８、あるいはきわ剃りユニット９を、支持脚２７で保護キャップＣの載置面から浮き離れた状態で支持すると、スイッチ８、あるいはきわ剃りユニット９が載置面と接触して破損するのを防止できる。また、各横臥姿勢において、一対の支持脚２７と支持突起４８、あるいは一対の支持脚２７と本体部１の一部の３点が載置面と当接するようにしたので、がたつくことなく安定した状態で横臥姿勢に載置できる。支持突起４８をアームベース３７の先端に設けたので、アームベース３７の摩耗を防止でき、またアームベース３７が載置面に当接するのを回避して保護キャップＣの耐久性を向上できる。なお、本体部１の正面が載置面と正対する横臥姿勢においては、本体部１と載置面の間にアームベース３７が介在するので、本体部１の正面が載置面に当接して本体部１が破損、あるいは傷付くのを防止できる。
【００６３】
（実施例２）  図１１から図１４に本発明に係る保護キャップの実施例２を示す。本実施例では、正立姿勢保持部４４を廃した点が先の実施例１と大きく異なる。図１１に示すように、前壁２４側の一対の支持脚２７の上端縁は、前側に向かって下り傾斜しており、掛止スリット４１の対向面４２・４２はいずれもキャップ部２１から離れる向きに上り傾斜する傾斜面で構成されている。前側の対向面４２の傾斜角度は、後側の対向面４２の傾斜角度よりも大きく設定されている。他は実施例１と同じであるので、同じ部材に同じ符号を付してその説明を省略する。以下の説明においても同じとする。
【００６４】
（実施例３）  図１５から図１７に本発明に係る保護キャップの実施例３を示す。本実施例では、支持脚２７、支持アーム３６、および正立姿勢保持部４４を廃した点が先の実施例１と大きく異なる。図１６に示すように本実施例の保護キャップＣは、前壁２４が電気かみそりの正面に対応するように装着される。このため、図１５に示すように、本体逃げ部２８は周壁２３の後壁２５に設けられている。周壁２３の前壁２４には断面コ字状の膨出壁５１が設けられており、膨出壁５１の左右の壁５２の上端縁に掛止スリット４１からなる装着構造４０が設けられている（図１７参照）。このように、支持脚２７、支持アーム３６、および正立姿勢保持部４４を省略すると、保護キャップＣをより小型化することができ、電気かみそりの携帯性を著しく向上できる。
【００６５】
（実施例４）  図１８は本発明に係る保護キャップの実施例４を示し、先の実施例３のキャップ部２１の下側に正立姿勢保持部４４を設けた実施例である。正立姿勢保持部４４は、本体部１の下端部形状に対応したカップ状の保持カップ５５で構成されており、保持カップ５５の底壁はキャップ部２１の底壁２２を兼ねている。保持カップ５５の開口周縁には、本体部１の下端部の装着を容易化するために、外広がり状のガイド壁５６が設けられている。ガイド壁５６は、電気かみそりを倒立姿勢で載置したときの安定性向上にも寄与している。本実施例においては、正立姿勢保持部４４に装着した電気かみそりは直立姿勢で支持されている。こうした保護キャップＣによれば、小型化による電気かみそりの携帯性の向上に加え、ひげ剃り時に電気かみそりを仮置きできることによる使い勝手を向上させた保護キャップＣを得ることができる。
【００６６】
（実施例５）  図１９は本発明に係る保護キャップの実施例５を示し、先の実施例１〜４とは装着構造４０が異なる。本実施例における装着構造４０は、前側の支持脚２７の上縁に上向きに突出形成した左右一対の係合突起５３で構成されている。外刃ホルダー１３の後側の周囲壁１４には、係合突起５３に対応する係合凹部５４が設けられており、係合突起５３に係合凹部５４を差し込んで係合させることにより、外刃ホルダー１３は係合突起５３からなる装着構造４０に着脱可能に装着できる。
【００６７】
（実施例６）  図２０は本発明に係る保護キャップの実施例６を示し、先の実施例５と同様に装着構造４０の構成が異なる。本実施例の保護キャップＣでは、前側の一対の支持壁２７が装着壁５７で橋絡されており、装着壁５７に固定された磁石５８で装着構造４０が構成されている。外刃ホルダー１３の後側の周囲壁１４の内部に、例えばステンレス鋼からなる磁性金属体５９が埋設されており、磁性金属体５９を磁石５８に吸着することにより、外刃ホルダー１３は磁石５８からなる装着構造４０に着脱可能に装着できる。なお、磁性金属体５７を装着壁５７に固定し、磁石５８を周囲壁１４の内部に埋設してもよい。
【００６８】
（実施例７）  図２１は本発明に係る保護キャップの実施例７を示す。本実施例の保護キャップＣでは、前側の支持脚２７が廃されて、キャップ部２１の前壁２４に下面が開口する四角箱状の装着座６０が一体に形成されており、装着座６０の上壁に凹み形成された載置凹部６１で装着構造４０が構成されている。載置凹部６１に外刃ホルダー１３を反転姿勢で挿入することにより、外刃ホルダー１３は載置凹部６１からなる装着構造４０に着脱可能に装着される。載置凹部６１の内面の前後には、三角リブ状のスペーサー６２が複数個突設されており、装着された外刃ホルダー１３をスペーサー６２で受け止めることにより、外刃ホルダー１３の外面と載置凹部６１の内面との間に通気用の隙間が形成されるようにしている。装着された外刃ホルダー１３の前側の長毛切断部４と正対する載置凹部６１の底壁には磁石６３が固定されており、長毛切断刃４の固定刃を磁石６３の磁気で吸引することで、外刃ホルダー１３は安定した姿勢で載置凹部６１に装着される。なお、磁石６３は必ずしも設ける必要はない。底壁の磁石６３の前後には装着構造４０用の排水孔６４が設けられている。
【００６９】
（実施例８）  図２２は本発明に係る保護キャップの実施例８を示し、本実施例においては先の実施例７の載置凹部６１に替えて、装着座６０の上壁に膨出形成された嵌合台６７で装着構造４０が構成されている。平面視における嵌合台６７は、外刃ホルダー１３の周囲壁１４の下開口の内面形状に対応する外郭形状を呈しており、外刃ホルダー１３を上方から嵌合させることにより、外刃ホルダー１３は嵌合台６７からなる装着構造４０に着脱可能に装着される。嵌合台６７は、上面が湾曲状に凹んでおり、凹み底部分の上壁に排水孔６４が設けられている。
【００７０】
（実施例９）  図２３は本発明に係る保護キャップの実施例９を示し、本実施例においては先の実施例８の嵌合台６７に替えて、装着座６０の上壁に突出形成された前後一対の嵌合リブ６８で装着構造４０が構成されている。一対の嵌合リブ６８は、外刃ホルダー１３の周囲壁１４の下開口の前後内面形状に対応する形状を呈しており、外刃ホルダー１３を上方から嵌合させることにより、外刃ホルダー１３は嵌合リブ６８からなる装着構造４０に着脱可能に装着される。装着座６０の上壁には、排水孔６４が設けられている。
【００７１】
上記の実施例５〜９のように、装着構造４０は、実施例１〜４のような掛止要素による装着形態のほか、係合要素、磁気吸着要素、載置要素、嵌合要素などによる装着形態を採用することができる。
【００７２】
以上のように、上記各実施例に係る電気かみそりの保護キャップは、外刃ホルダー１３がヘッド本体１２に装着されている場合と、外刃ホルダー１３がヘッド本体１２から取外された場合のいずれの場合でも、電気かみそりを倒立姿勢で支持して、かみそりヘッド２の外面を覆うようにした。また、保護キャップＣに、かみそりヘッド２から分離した外刃ホルダー１３を着脱可能に装着する装着構造４０を設けた。こうした電気かみそりの保護キャップによれば、電気かみそりを水洗いしたのち、保護キャップＣに外刃ホルダー１３が装着された状態の電気かみそりを装着して、倒立姿勢で保管し乾燥させることができる。また、保護キャップＣに外刃ホルダー１３が分離された状態の電気かみそりを装着し、分離した外刃ホルダー１３を装着構造４０に装着して、倒立姿勢で保管し乾燥させることができる。従って、乾燥を促進させるために外刃ホルダー１３を分離した場合でも、分離した外刃ホルダー１３と電気かみそりとを一括して保管しながら乾燥させて、外刃ホルダー１３が紛失するのを防止できる。
【符号の説明】
【００７３】
１  本体部
２  かみそりヘッド
８  スイッチ
９  きわ剃りユニット
１２  ヘッド本体
１３  外刃ホルダー
１４  周囲壁
１７  装着部
２１  キャップ部
２２  底壁
２６  受座
２７  支持脚
３１  周回壁
３２  凹部
３３  排水孔
３４  鏡体
３６  支持アーム
３７  アームベース
３８  サポート片
４０  装着構造
４１  掛止スリット
４２  対向面
４４  正立姿勢保持部
４５  橋絡壁
４８  支持突起
【図１】
2018102554.tif 000003
【図２】
2018102554.tif 000004
【図３】
2018102554.tif 000005
【図４】
2018102554.tif 000006
【図５】
2018102554.tif 000007
【図６】
2018102554.tif 000008
【図７】
2018102554.tif 000009
【図８】
2018102554.tif 000010
【図９】
2018102554.tif 000011
【図１０】
2018102554.tif 000012
【図１１】
2018102554.tif 000013
【図１２】
2018102554.tif 000014
【図１３】
2018102554.tif 000015
【図１４】
2018102554.tif 000016
【図１５】
2018102554.tif 000017
【図１６】
2018102554.tif 000018
【図１７】
2018102554.tif 000019
【図１８】
2018102554.tif 000020
【図１９】
2018102554.tif 000021
【図２０】
2018102554.tif 000022
【図２１】
2018102554.tif 000023
【図２２】
2018102554.tif 000024
【図２３】
2018102554.tif 000025